(57)【要約】【課題】簡単な構成で、容易にマンホール壁に形成されたステップ取付孔に良好な姿勢で挿入することができるステップ取付具を提供する。【解決手段】ステップ取付具は、ステップ取付孔に挿入さる有底筒状体５０と、接着用樹脂が含浸され有底筒状体内５０に挿入される多孔質袋体とを備え、有底筒状体５０の周側壁に開口６５、６７が形成されている。接着用樹脂が含浸された多孔質袋体の内部にステップの取付部を挿入すると、多孔質袋体に含浸された接着用樹脂が開口６５、６７から出てステップ取付孔の内壁面に到達する。有底筒状体５０は、ステップ取付孔の取付部に挿入されるスリーブと、座ぐり部に当接されるフランジ部５６とを備えており、フランジ部５６には、開口６５、６７の位置を示す印７が設けられている。【選択図】図２
2017008641.tif 000002
【特許請求の範囲】
【請求項１】
マンホール壁に形成されたステップ取付孔に挿入され、周壁部に開口を備えた有底筒状体と、接着用樹脂が含浸され、前記有底筒状体内に挿入され、ステップの取付端部が挿入される多孔質袋体とを備えたステップ取付具であって、
前記有底筒状体のマンホール壁の内側に配置される端面に、前記開口の位置を示す印が設けられていることを特徴とするステップ取付具。
【請求項２】
前記印は、前記有底筒状体のマンホール壁の内側に配置される端面の、マンホール壁の鉛直方向における上方と下方の少なくとも一方の側に設けられていることを特徴とする請求項１に記載のステップ取付具。
【請求項３】
前記印は、蓄光材または再帰反射体により構成されていることを特徴とする請求項１または２のいずれかに記載のステップ取付具。
【発明の詳細な説明】
【技術分野】
【０００１】
本発明は、ステップをマンホール壁に取り付けるためのステップ取付具に関する.
【背景技術】
【０００２】
ステップ取付具の従来の技術として、たとえば特許文献１が知られている。特許文献１には、コンクリート製マンホール壁に形成されたステップ取付孔に挿入され、周壁部に開口を備えた有底筒状体と、ステップの取付端部に装着され、前記有底筒状体内に挿入される接着用樹脂を含浸させた多孔質袋体と、から構成されることを特徴とするステップ取付具が開示されている。
【０００３】
そして、上記特許文献１には、接着用樹脂が含浸された多孔質袋体をステップの取付端部に装着し、該多孔質袋体を装着したステップの取付部をステップ取付具内に挿入すると、多孔質袋体に含浸された接着用樹脂が押し出されて、ステップ取付具の各開口からステップ取付孔の内壁面まで到達し、ステップの取付部はステップ取付具と共にステップ取付孔に接着されることなどが記載されている（００１６、００１７）。このとき、多孔質袋体から押し出された接着用樹脂は、重力にしたがって垂れるようにしてステップ取付具の各開口から流れ出て、ステップ取付孔の内壁面の下方から上方に向かって充填される。
【先行技術文献】
【特許文献】
【０００４】
【特許文献１】特開２００６−９２６７号公報
【発明の概要】
【発明が解決しようとする課題】
【０００５】
上記特許文献１にあっては、ステップ取付具の開口が下方に位置しない状態でステップ取付孔に挿入されると、多孔質袋体から押し出され重力にしたがって垂れるようにして流れ出た接着用樹脂がステップ取付孔の内壁面にスムーズに到達できない虞があるという問題があった。
【０００６】
本発明は、上記問題を優位に解決するためになされたものであり、簡単な構成で、接着用樹脂をステップ取付孔の内壁面にスムーズに到達させ、適切に充填することができることができるように、容易にマンホール壁に形成されたステップ取付孔に良好な姿勢で挿入することができるステップ取付具を提供することを目的とする。
【課題を解決するための手段】
【０００７】
上記課題を解決するため、請求項１のステップ取付具に係る発明は、マンホール壁に形成されたステップ取付孔に挿入され、周壁部に開口を備えた有底筒状体と、接着用樹脂が含浸され、前記有底筒状体内に挿入され、ステップの取付端部が挿入される多孔質袋体とを備えたステップ取付具であって、前記有底筒状体のマンホール壁の内側に配置される端面に、前記開口の位置を示す印が設けられていることを特徴とする。
請求項１の発明では、開口の位置を示す印に基づいて有底筒状体の周壁部に形成されている開口が下方に位置するように有底筒体の軸周りの姿勢を調整した状態で、マンホール壁に形成されたステップ取付孔に挿入する。
【０００８】
上記課題を解決するため、請求項２のステップ取付具に係る発明は、請求項１に記載の発明において、前記印は、前記有底筒状体のマンホール壁の内側に配置される端面の、マンホール壁の鉛直方向における上方と下方の少なくとも一方の側に設けられていることを特徴とする。
請求項２の発明では、請求項１に記載の発明において、開口の位置を示す印をマンホール壁の鉛直方向における上方および／または下方に位置させることにより、開口が下方に位置するように有底筒体の軸周りの姿勢を調整して、マンホール壁に形成されたステップ取付孔に挿入する。
【０００９】
上記課題を解決するため、請求項３のステップ取付具に係る発明は、請求項１または２のいずれかに記載の発明において、前記印は、蓄光材または再帰反射体により構成されていることを特徴とする。
請求項３の発明では、請求項１または２のいずれかに記載の発明において、前記印を蓄光材または再帰反射体により構成することにより、暗所であるマンホール内で、ステップ取付具の有底筒状体の開口の位置が正確かつ確実に示される。
【発明の効果】
【００１０】
本発明によれば、開口の位置を示す印に基づいて有底筒状体の軸周りの姿勢を調整した状態でマンホール壁に形成されたステップ取付孔に挿入するので、確実に有底筒状体の周壁部に形成されている開口を下方に位置させることができる。そのため、接着用樹脂が含浸された多孔質袋体を有底筒状体の内部に挿入すると共にステップの取付部を多孔質袋体の内部に挿入すると、多孔質袋体から押し出された接着用樹脂は、確実に重力にしたがって垂れるようにして下方に位置する開口から流れ出て、ステップ取付孔の内壁面に充填される。その結果、ステップの取付部を有底筒状体と共に確実にステップ取付孔に接着することができる。
【図面の簡単な説明】
【００１１】
【図１】本発明の実施の形態におけるステップ取付具の側面図である。
【図２】図１に示したステップ取付具の、マンホール壁の内側に配置される端面を示した正面図である。
【図３】ステップ取付具をマンホール壁に形成されたステップ取付孔に挿入する状態を説明するために部分的に示した一部横断平面面図である。
【図４】ステップ取付孔に挿入したステップ取付具内に、接着用樹脂を含浸させた多孔質袋体を挿入する状態を説明するために部分的に示した一部横断平面面図である。
【図５】ステップ取付具内の多孔質袋体にステップの取付部を挿入する状態を説明するために部分的に示した横断平面面図である。
【図６】ステップ取付具内の多孔質袋体にステップの取付部を挿入して取り付けた状態を説明するために部分的に示した横断平面面図である。
【発明を実施するための形態】
【００１２】
以下、本発明を実施するための形態を図１〜図６に基づいて詳細に説明する。
最初に、本実施の形態におけるステップとステップ取付孔を図３〜図６を参照しつつ説明する。
ステップ２は、ステップ本体の両端を屈曲させて全体として略コ字状に成形されている。ステップ２は、金属製の芯材２０と、芯材２０の先端部を除く部分に被覆された合成樹脂製のカバー２１とにより構成されている。芯材２０の両先端部のカバー２１に被覆されていない部分の周囲には、それぞれ複数の環状溝または環状突条が形成されており、取付部２０ａａを構成している。図５および図６では、ステップ２の一対の取付部２０ａａのうち、一方のみが示されている。ステップ２の合成樹脂製のカバー２１の端部であって、ステップ２を取り付けた際の上方となる部分には、エアー抜き溝２２が形成されている。さらにステップ２には、ステップ２の合成樹脂製のカバー２１の端部に外嵌され、マンホール壁１に形成されたステップ取付孔３のマンホール内側に開口する座ぐり部（後述する）３ｂ内に嵌め込まれる大きさの外径を有する化粧キャップ２５を含むことができる。化粧キャップ２５は、ステップ２のカバー２１と同じ合成樹脂により成形することができる。図５に示すように、化粧キャップ２５の内周面には、ステップ取付具５のフランジ部５６（後述する）を収容する環状溝２６と、フランジ部５６に係合される爪部２７とが形成されている。
ステップ取付孔３は、マンホール壁１におけるステップ２の取付部２０ａａと対応する位置に一対で形成されている。図３〜図６では一対のステップ取付孔３のうち、一方のみが示されている。ステップ取付孔３は、ステップ取付具５の有底筒状体５０（後述する）の外径よりもわずかに大きい径を有する挿入部３ａと、この挿入部３ａのマンホール壁１の内側に開口し挿入部３ａの径よりも大きい径を有する座ぐり部３ｂとにより構成されている。
【００１３】
ステップ取付具５は、マンホール壁１に形成されたステップ取付孔３に挿入さる有底筒状体５０と、有底筒状体５０内に挿入され、ステップ２の取付部２０ａａが挿入される多孔質袋体５１とを備えている。多孔質袋体５１は、接着用樹脂が含浸されてこれを保持するものである。有底筒状体５０の周側壁には、多孔質袋体５１の内部にステップ２の取付部２０ａａを挿入した際に、多孔質袋体５１に含浸された接着用樹脂をステップ取付孔３の内壁面に到達させるための開口６５、６７が形成されている。
【００１４】
図１に示すように、本実施の形態におけるステップ取付具５の有底筒状体５０は、ステップ取付孔３の挿入部３ａに挿入されるスリーブ５５と、ステップ取付孔３の座ぐり部３ｂに当接されるフランジ部５６とを備えている。さらに、本実施の形態では、スリーブ５５のフランジ部５６と隣接する位置に外嵌される多孔質リング５３を含んでいる。有底筒状体５０は、硬質の合成樹脂により一体成形されている。スリーブ５５の先端部６０はテーパ状に成形されており、先端部６０とフランジ部５６との間の本体部６１の外径は軸方向にほぼ同じ大きさに成形されている。スリーブ５５は、全体として内部が中空の略筒状に成形されており、内部の先端部６０側には底６０ａが形成されている。本体部６１における先端部６０側の外周面には環状溝６２が形成されている。環状溝６２には、ゴムなどの弾性素材からなる環状のシール部材５２が保持される。シール部材５２の外縁の径は、ステップ取付孔３の挿入部３ａの内径よりもわずかに大きく設定されている。また、本体部６１の中間部における外周面には、周方向に延びる突条が複数形成されている。各突条６３の断面形状は、先端部６０側の側面が傾斜しており、フランジ部５６側の側面が軸方向に対してほぼ径方向となるよう成形されている。各突条６３の外縁（先端縁）の径は、ステップ取付孔３の挿入部３ａの内径とほぼ同じか、わずかに大きく設定されている。
【００１５】
スリーブ５５の本体部６１の環状溝６２と突条６３との間には、この実施の形態の場合、周方向に４つの開口６５が形成されている。この開口６５と周方向に隣接する開口６５との間は、柱部６６が形成されている。各開口６５の軸周り（周方向）の位相は、９０度となっている。また、スリーブ５５の本体部６１の突条６３とフランジ部５６との間には、この実施の形態の場合、周方向に４つの開口６７が形成されている。この開口６７は、開口６５と比較して周方向の幅が小さく、したがって、開口６７とこの開口６７と周方向に隣接する開口６７の間に形成される柱部６８は、柱部６６と比較して幅が大きく形成されている。各開口６７の軸周り（周方向）の位相は、９０度となっている。そして、開口６５と開口６７、および、柱部６６と柱部６８は、周方向に同じ位相となるように配設されている。柱部６８の本体部６１内側の面は、フランジ部側から先端側に向かって漸次縮径しステップ２のカバー２１の端部を係止することができる傾斜部６８ａを有している。なお、本発明のステップ取付具５は、開口６５および６７をそれぞれ４つで形成することには限定されることはなく、必要に応じて変更することができる。図３および図４に示すように、スリーブ５５の本体部６１には、フランジ部５６と隣接して多孔質リング５３が外嵌される。
【００１６】
フランジ部５６は、その中心がステップ２の取付部２０ａａを挿入するために開口している。フランジ部５６のマンホール壁１の内側に面する端面は、径方向内側の部分が軸方向と直交する平面状に成形されており、径方向外側の部分がほぼ全周に亘って面取りされているように傾斜して成形されている。そして、図２に示すように、径方向外側の部分における周方向の一部は、平面状に成形された径方向内側の部分と同一平面を形成するようにして、三角形状の印７が形成されている。この印７は、図２に示した実施の形態の場合、互いに対向する２か所の位置の開口６５および開口６７の周方向の幅における中心の位相と一致する周方向の位置にそれぞれ設けられている。しかしながら、本発明のステップ取付具５は、周方向に配設された４つの開口のうちの一つの位相と対応する位置のみに印７を形成してもよく、また、各開口６５および６７の位相と対応する全ての位置にそれぞれ印７を形成してもよい。印７は、蓄光材または再帰反射体により構成することができる。蓄光材は、光を照射されることによって光のエネルギーを吸収して蓄え、その蓄えたエネルギーを可視光線に変換することで光を放出する機能を有するもので、塗布するタイプの一般的な蓄光剤を使用したり、このような蓄光剤をシート状または板状の基材に塗布したものを使用することができる。また、再帰反射体は、照射された光を光源方向へ反射させる再帰反射性を有するもので、シート状または板状の一般的なものを使用することができる。フランジ部５６の径方向外側部分に形成された三角形状の印７の表面に蓄光剤を塗布し、または、三角形状の印７と対応する形状のシート状または板状の再帰反射体を貼付することができる。また、印７は、フランジ部５６の面取りされた径方向外側の周方向の一部を、径方向内側の部分と同一平面を形成するようにして形成することに限定されることはなく、フランジ部５６の端面に凹部を形成したり、さらには、この凹部内に蓄光剤を塗布するか、または、凹部内に蓄光剤を塗布した基材若しくは再帰反射体を嵌め込むようにして貼付することもできる。
【００１７】
多孔質袋体５１は、例えばスポンジなど、弾性および／または可撓性を有する多孔質の素材を袋状に成形したものにより構成されている。また、多孔質リング５３は、多孔質袋体５１と同じ素材により構成することができる。
【００１８】
次に、上述した実施の形態のように構成されたステップ取付具５を用いてマンホール壁１にステップ２を取り付ける手順を、図３〜図６に基づいて説明する。
図３に示したように、マンホール壁１における各ステップ２の取付部と対応する位置に、挿入部３ａと座ぐり部３ｂとを有するステップ取付孔３が削孔などによりそれぞれ一対で予め形成されている。また、ステップ取付具５は、スリーブ５５の環状溝６２にゴムなどからなる環状のシール部材５２が保持されており、また、本体部６１のフランジ部５６と隣接する位置にスポンジなどからなる多孔質リング５３が外嵌されている。
【００１９】
マンホール壁１にステップ２を取り付けるに際して、最初にステップ取付孔３にステップ取付具５を挿入する。このとき、図２に参照されるように、２つの印７がステップ取付孔３の鉛直方向（上下方向）を指向するようにステップ取付具５の軸周りの姿勢を調整して、図３に示すように、スリーブ５５の先端部６０からステップ取付孔３に挿入し、フランジ部５６に当て木８を当接して、当て木８を木製ハンマー９で叩くことなどによりにより挿入部３ａにスリーブ５５を嵌め込んでフランジ部５６を座ぐり部３ｂに当接させる。ステップ取付孔３にステップ取付具５を挿入すると、スリーブ５５の環状溝６２に保持されたシール部材５２が弾性変形し、その外周縁がステップ取付孔３の挿入部３ａの内壁面に当接される。蓄光材または再帰反射体により印７を構成することにより、一般に暗所であるマンホール内で印７を確実に確認することができ、したがって、ステップ取付具５を適切な姿勢で挿入することができる。
【００２０】
互いに対向する２か所の位置の開口６５および開口６７の周方向の幅における中心の位相と一致する周方向の位置に設けられた２つの印７をステップ取付孔３の鉛直方向を指向させることにより、ステップ取付具５の開口６５、６７を確実かつ容易にステップ取付孔３の内部の下方に位置させることができる。なお、本実施の形態では、開口６５、６７をそれぞれ周方向に９０度の位相で４か所に形成するため、２つの印７をステップ取付孔３の水平方向に指向させても、開口６５、６７のうちの一つをステップ取付孔３の内部の下方に位置させることができる。また、上述したように、周方向に配設された４つの開口のうちの一つの位相と対応する位置のみに印７を形成した場合には、この一つの印７を上下または左右の方向のうちのいずれか一つの方向に指向させ、各開口６５および６７の位相と対応する全ての位置にそれぞれ印７を形成した場合には、各印７を上下および左右の方向にそれぞれ指向させることで、ステップ取付具５の開口６５、６７をステップ取付孔３の内部の下方に位置させることができる。
【００２１】
次に、多孔質袋体５１を接着用樹脂に浸漬して揉むなどして内部の空気をよく押し出し、充分に接着用樹脂を多孔質袋体に含浸保持させる。そして、図４に示すように、この接着用樹脂が含浸された多孔質袋体５１を挿入棒１０の先端に被せるなどしてステップ取付具５の内部に挿入する。
【００２２】
続いて、図５に示すように、ステップ２のエアー抜き溝２２を上向きにセットした状態で、化粧キャップ２５を取付部２０ａａの先端からカバー２１の端部に外嵌し、ステップ取付具５の内部に挿入された多孔質袋体５１の中に取付部２０ａａを進入させ、木製ハンマー９でステップ２を叩くなどして、図６に示すように、カバー２１の端部が柱部６８の径方向内側の傾斜部６８ａに係止されるまで挿入する。この挿入に伴って、化粧キャップ２５は、ステップ取付孔３の座ぐり部３ｂ内に嵌め込まれ、その内側面に形成された環状溝２６にステップ取付具５のフランジ部５６が係合される。
【００２３】
ステップ２の取付部２０ａａが多孔質袋体５１の中に挿入されるとき、多孔質袋体５１の中部の空気は、カバー２１の端部に形成されたエアー抜き溝２２から排出される。そして、多孔質袋体５１に含浸された接着用樹脂は、多孔質袋体５１の中に取付部２０ａａを進入させることにより多孔質袋体５１から押し出され、柱部６６、６８に邪魔されることなく、重力にしたがって垂れるようにして特に下方に位置する開口６５、６７からスムーズに流れ出て、ステップ取付孔３の内壁面に到達し、ステップ取付孔３の内壁面の下方から上方に向かって充填される。また、ステップ取付孔３の挿入部３ａと有底筒状体５０のスリーブ５５との間の空気は、突条６３間を通ってエアー抜き溝２２から排出される。そのため、ステップ取付孔３の挿入部３ａと有底筒状体５０のスリーブ５５との間には、空気溜りができることなく、接着用樹脂を充分に充填させることができる。
【００２４】
そして、スリーブ５５の環状溝６２に保持されたシール部材５２の外周縁がマンホール壁１の取付孔３の挿入部に接しており、しかも、ステップ取付孔３の内壁面に接着用樹脂が到達して、ステップ取付孔３の挿入部３ａと有底筒状体５０のスリーブ５５との間に接着用樹脂が充填されているため、ステップ取付孔３がマンホール壁に貫通すように形成されている場合であっても、マンホール壁１の外部から内部に地下水等の水が不用意に流入することがない。
【符号の説明】
【００２５】
１：マンホール壁、  ２：ステップ、  ２０：取付部、  ３：ステップ取付孔、  ５：ステップ取付具、  ５０：有底筒状体、  ５１：多孔質硬質袋体、  ５５：スリーブ、  ５６：フランジ部、  ６５、６７：開口、  ７：印
【図１】
2017008641.tif 000003
【図２】
2017008641.tif 000004
【図３】
2017008641.tif 000005
【図４】
2017008641.tif 000006
【図５】
2017008641.tif 000007
【図６】
2017008641.tif 000008
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
マンホール壁に形成されたステップ取付孔内に挿入される有底筒状体と、接着用樹脂が含浸され、前記有底筒状体内に挿入され、ステップの取付端部が挿入される多孔質袋体とを備えており、前記有底筒状体の周壁部に、前記多孔質袋体に含浸された接着用樹脂を前記有底筒状体内から前記ステップ取付孔の内壁面に充填させるための開口を備えたステップ取付具であって、
前記有底筒状体のマンホール壁の内側に配置される端面に、前記開口が下方に位置することを示す印が設けられていることを特徴とするステップ取付具。
【請求項２】
前記印は、前記有底筒状体のマンホール壁の内側に配置される端面の、マンホール壁の鉛直方向における上方と下方の少なくとも一方の側に設けられていることを特徴とする請求項１に記載のステップ取付具。
【請求項３】
前記印は、蓄光剤または再帰反射体により構成されていることを特徴とする請求項１または２のいずれかに記載のステップ取付具。
【手続補正２】
【補正対象書類名】明細書
【補正対象項目名】０００７
【補正方法】変更
【補正の内容】
【０００７】
上記課題を解決するため、請求項１のステップ取付具に係る発明は、マンホール壁に形成されたステップ取付孔内に挿入される有底筒状体と、接着用樹脂が含浸され、前記有底筒状体内に挿入され、ステップの取付端部が挿入される多孔質袋体とを備えており、前記有底筒状体の周壁部に、前記多孔質袋体に含浸された接着用樹脂を前記有底筒状体内から前記ステップ取付孔の内壁面に充填させるための開口を備えたステップ取付具であって、前記有底筒状体のマンホール壁の内側に配置される端面に、前記開口が下方に位置することを示す印が設けられていることを特徴とする。
請求項１の発明では、開口が下方に位置することを示す印に基づいて、有底筒状体の周壁部に形成されている開口が下方に位置して、多孔質袋体に含浸された接着用樹脂が開口から流れ出てステップ取付孔の内壁面に充填されるように有底筒体の軸周りの姿勢を調整した状態で、マンホール壁に形成されたステップ取付孔に挿入する。
【手続補正３】
【補正対象書類名】明細書
【補正対象項目名】００１０
【補正方法】変更
【補正の内容】
【００１０】
本発明によれば、有底筒状体のマンホール壁の内側に配置される端面に設けられた印に基づいて、開口を下方に位置させるように有底筒状体の軸周りの姿勢を調整した状態でマンホール壁に形成されたステップ取付孔に挿入するので、確実に有底筒状体の周壁部に形成されている開口を下方に位置させることができる。そのため、接着用樹脂が含浸された多孔質袋体を有底筒状体の内部に挿入すると共にステップの取付部を多孔質袋体の内部に挿入すると、多孔質袋体から押し出された接着用樹脂は、有底筒状体内から確実に重力にしたがって垂れるようにして下方に位置する開口から流れ出て、ステップ取付孔の内壁面に充填される。その結果、ステップの取付部を有底筒状体と共に確実にステップ取付孔に接着することができる。